(57)【要約】【課題】基板の縁部分に対して接続端子が強く固定されるようにする。【解決手段】アンテナ装置１は、ベース３と、ベース３の上に覆い被さったカバー４と、ベース３の上に立った状態でカバー４内に収容された回路基板５と、回路基板５に取り付けられた接続端子１０と、回路基板５の上においてカバー４に設けられた支持金具４５と、支持金具４５に取り付けられたアンテナエレメント４６と、備える。接続端子１０が、回路基板５の上端面５１に沿って設けられた係止部１１と、係止部１１の一端部に連接した挟持片１２と、係止部１１の他端部に連接し、挟持片１２との間に回路基板５を挟持する挟持片１３と、挟持片１３に連接され、その連接部で挟持片１３側に折られた板ばね部１４と、を有する。支持金具４５が、挟持片１３と板ばね部１４の成す内角を広げる方向に板ばね部１４に押し付けられる。【選択図】図２
2010140789.tif 000002
【特許請求の範囲】
【請求項１】
回路基板と、
前記回路基板に取り付けられた第１の端子と、
前記第１の端子に接続する第２の端子と、を備え、
前記第１の端子が、
前記回路基板の側端面に沿って前記回路基板の両面のうち一方の面側から他方の面側にかけて延設された係止部と、
前記回路基板の一方の面側において前記係止部に連接し、前記回路基板の一方の面に沿って設けられた第１の挟持片と、
前記回路基板の他方の面側において前記係止部に連接し、前記回路基板の他方の面に沿って設けられ、前記第１の挟持片との間に前記回路基板を挟持する第２の挟持片と、
前記第２の挟持片に連接され、その連接部で前記第２の挟持片側に折られた板ばね部と、を有し、
前記第２の端子が、前記第２の挟持片と前記板ばね部の成す内角を広げる方向に前記板ばね部に押し付けられることを特徴とする電気的接続構造。
【請求項２】
前記板ばね部が第２の挟持片側に折り返されて、前記板ばね部の突端部が前記回路基板の一端面から突出していることを特徴とする請求項１に記載の電気的接続構造。
【請求項３】
前記板ばね部の突端部が複数に分岐していることを特徴とする請求項１又は２に記載の電気的接続構造。
【請求項４】
前記第２の挟持片から前記回路基板の他方の面側に向かって凸設された突起を更に備えることを特徴とする請求項１から３の何れか一項に記載の電気的接続構造。
【請求項５】
前記第１の挟持片が前記回路基板の一方の面に接合されていることを特徴とする請求項１から４の何れか一項に記載の電気的接続構造。
【請求項６】
前記回路基板が２枚設けられ、前記２枚の回路基板が互いに平行に設けられ、
前記第１の端子が２つ設けられ、前記２つの第１の端子が前記２枚の回路基板の側端面に対向する位置から見てずれた状態でそれぞれの前記回路基板に取り付けられていることを特徴とする請求項１から５の何れか一項に記載の電気的接続構造。
【請求項７】
ベースと、
前記ベースの上に覆い被さったカバーと、
前記ベースの上に立った状態で前記カバー内に収容された回路基板と、
前記回路基板に取り付けられた第１の端子と、
前記回路基板の上において前記カバーを貫通し、前記第１の端子に電気的に接続する第２の端子と、
前記カバーの外側において前記第２の端子に取り付けられたアンテナエレメントと、
を備え、
前記第１の端子が、
前記回路基板の上端面に沿って前記回路基板の両面のうち一方の面側から他方の面側にかけて延設された係止部と、
前記回路基板の一方の面側において前記係止部に連接し、前記回路基板の一方の面に沿って設けられた第１の挟持片と、
前記回路基板の他方の面側において前記係止部に連接し、前記回路基板の他方の面に沿って設けられ、前記第１の挟持片との間に前記回路基板を挟持する第２の挟持片と、
前記第２の挟持片に連接され、その連接部で前記第２の挟持片側に折られた板ばね部と、を有し、
前記第２の端子が、前記第２の挟持片と前記板ばね部の成す内角を広げる方向に前記板ばね部に押し付けられることを特徴とするアンテナ装置。
【発明の詳細な説明】
【技術分野】
【０００１】
本発明は、電気的接続構造及びアンテナ装置に関し、特に端子が回路基板から外れにくい電気的接続構造及びアンテナ装置に関する。
【背景技術】
【０００２】
アンテナ装置の内部には、ＡＭラジオ帯・ＦＭラジオ帯の信号を受信するためのＡＭ／ＦＭ基板及び携帯無線電話機の信号を受信するためのＧＳＭ（Global System for Mobile Communications）基板を始めとして各種部材が取り付けられている。そこでアンテナ装置の小型化を図るため、これらの基板を立てた状態で装置内部に配置する技術が用いられている。
【０００３】
基板を立てた状態で配置すると、アンテナ装置の上部に位置するアンテナエレメントと基板との電気的接続が困難になる。そのため、基板とアンテナエレメントを電気的に繋ぐ接続端子が必要となるが、これに関する技術が特許文献１に記載されている。
特許文献１に記載の技術にあっては、ベース（３）に対しほぼ垂直に立てた状態に取り付けられた整合基板（９）と、アンテナエレメント（１）とを接続するために、整合基板（９）の上端部に接続端子（７）が取り付けられている。接続端子（７）の縁には係止部及び突起部が設けられ、係止部が整合基板（９）の上側の端面に引っ掛かり、突起部が整合基板（９）の一方の面に差し込まれることにより、接続端子（７）が整合基板（９）に対してほぼ垂直に固定される。アンテナエレメント（１）と接続するためのエレメント接続金具（２ｅ）が接続端子（７）の上方から接続端子（７）に当接することにより、整合基板（９）とアンテナエレメント（１）が電気的に接続される。
【特許文献１】特開２０００−０６８７２２号公報
【発明の開示】
【発明が解決しようとする課題】
【０００４】
しかし、上記接続端子固定方法では、アンテナエレメント及びその支持金具が接続端子に強く押し付けられた場合には、接続端子が基板から外れてしまうおそれがある。このため、接続端子は基板に対して強く固定されていることが望まれる。
【０００５】
そこで、本発明の課題は、基板の縁部分に対して接続端子が強く固定されるようにすることである。
【課題を解決するための手段】
【０００６】
以上の課題を解決するために、本発明の第一の態様によれば、回路基板と、前記回路基板に取り付けられた第１の端子と、前記第１の端子に接続する第２の端子と、を備え、前記第１の端子が、前記回路基板の側端面に沿って前記回路基板の両面のうち一方の面側から他方の面側にかけて延設された係止部と、前記回路基板の一方の面側において前記係止部に連接し、前記回路基板の一方の面に沿って設けられた第１の挟持片と、前記回路基板の他方の面側において前記係止部に連接し、前記回路基板の他方の面に沿って設けられ、前記第１の挟持片との間に前記回路基板を挟持する第２の挟持片と、前記第２の挟持片に連接され、その連接部で前記第２の挟持片側に折られた板ばね部と、を有し、前記第２の端子が、前記第２の挟持片と前記板ばね部の成す内角を広げる方向に前記板ばね部に押し付けられることを特徴とする電気的接続構造が提供される。
【０００７】
本発明の他の態様によれば、ベースと、前記ベースの上に覆い被さったカバーと、前記ベースの上に立った状態で前記カバー内に収容された回路基板と、前記回路基板に取り付けられた第１の端子と、前記回路基板の上において前記カバーを貫通し、前記第１の端子に電気的に接続する第２の端子と、前記カバーの外側において前記第２の端子に取り付けられたアンテナエレメントと、を備え、前記第１の端子が、前記回路基板の上端面に沿って前記回路基板の両面のうち一方の面側から他方の面側にかけて延設された係止部と、前記回路基板の一方の面側において前記係止部に連接し、前記回路基板の一方の面に沿って設けられた第１の挟持片と、前記回路基板の他方の面側において前記係止部に連接し、前記回路基板の他方の面に沿って設けられ、前記第１の挟持片との間に前記回路基板を挟持する第２の挟持片と、前記第２の挟持片に連接され、その連接部で前記第２の挟持片側に折られた板ばね部と、を有し、前記第２の端子が、前記第２の挟持片と前記板ばね部の成す内角を広げる方向に前記板ばね部に押し付けられることを特徴とするアンテナ装置が提供される。
【０００８】
以上によれば、第１の挟持片と第２の挟持片が回路基板と接触し、板ばね部に第２の端子が押し付けられることにより、第２の端子と回路基板とを電気的に接続することができる。
また、第２の端子が板ばね部と第２の挟持片の成す内角を広げる方向に板ばね部に押し付けられることで、第２の挟持片が係止部との連接部を支点として回路基板に向かって押し付けられる。従って、第１の挟持片及び第２の挟持片によって回路基板を挟み込む力が強くなる。そのため、板ばね部が第２の端子によって強く押し付けられても、第１の端子が回路基板から外れない。
また、第１の端子は回路基板の縁部分に被せるようにして取り付けられているとともに、第２の端子が回路基板の側端面に対向する方向から第１の端子の板ばね部に当接するため、第１の端子が外れにくい。
【０００９】
好ましくは、前記板ばね部が第２の挟持片側に折り返されて、前記板ばね部の突端部が前記回路基板の一端面から突出している。
板ばね部の突端部が回路基板の側縁からその側縁の外側に突出しているので、第２の端子を回路基板の側端面から離れた位置に配置できる。また、回路基板の側端面に対向する位置に第２の端子を配置することができる。
【００１０】
好ましくは、前記板ばね部の突端部が複数に分岐している。
板ばね部の突端部が複数に分岐しているので、これら分岐した枝部がそれぞれ独立して変形することができる。第２の端子が枝部に当接し、他の枝部に当接しない場合、一の枝部が押し込まれと、その一の枝部が変形し、第２の端子が他の枝部にも当接することができるため、電気的接続性が向上する。
【００１１】
好ましくは、前記電気的接続構造は、前記第２の挟持片から前記回路基板の他方の面側に向かって凸設された突起を更に備える。
第２の挟持片に突起が設けられることにより、第１の挟持片と第２の挟持片によって回路基板を挟み込む力が強くなる。また、回路基板と第１の端子との電気的な接続を起こり易くする。
【００１２】
好ましくは、前記第１の挟持片が前記回路基板の一方の面に接合されている。
第１の挟持片が回路基板に接合されていることで、第１の端子が回路基板に対し強く固定され、第１の端子が外れにくい。
【００１３】
好ましくは、前記回路基板が２枚設けられ、前記２枚の回路基板が互いに平行に設けられ、前記第１の端子が２つ設けられ、前記２つの第１の端子が前記２枚の回路基板の側端面に対向する位置から見てずれた状態でそれぞれの前記回路基板に取り付けられている。
対向位置から見てずれた状態で２つの第１の端子を取り付けているので、２枚の回路基板を近接して配置でき、装置を小型化できる。
【発明の効果】
【００１４】
本発明によれば、第１の端子が回路基板に対して強く固定される。そのため、第１の担子が回路基板から外れにくい。
【発明を実施するための最良の形態】
【００１５】
以下、図面を参照しながら本発明の好ましい実施形態について詳細に説明する。
但し、以下に述べる実施形態には、本発明を実施するために技術的に好ましい種々の限定が付されているが、発明の範囲を以下の実施形態及び図示例に限定するものではない。
【００１６】
図１〜３は、本発明に係る電気的接続構造を有するアンテナ装置１である。図１はカバー４を外した状態のアンテナ装置１を斜め上から見て示した斜視図であり、図２はアンテナ装置１をその前方から見て示した断面図であり、図３はアンテナ装置１をその側方から見て示した断面図である。アンテナ装置１は、自動車のルーフ、乗物のルーフその他の設置箇所に取り付けられるものである。
【００１７】
このアンテナ装置１においては、ガスケット２が板状のベース３の上面の縁部分に装着され、カバー４がベース３の上に覆い被さり、ゴム製のガスケット２がカバー４とベース３との間に挟まれ、カバー４の内側に２枚の回路基板５が収容されている。
【００１８】
ベース３は長円状に形成されている。ベース３の下面に差込部６が凸状に設けられ、差込部６の突端からベース３の上面にかけて配線用穴７が貫通している。この配線用穴７には、配線が通される。
【００１９】
ベース３の上面には、凸部８が凸状に設けられている。凸部８はベース３の上面の縁に沿って枠状に形成されている。一方、ガスケット２がリング状に形成されており、凸部８がガスケット２に嵌め込まれて、ガスケット２が凸部８を囲んでベース３の上面に載置されている。
【００２０】
ベース３、差込部６及び凸部８は一体成形されている。ベース３、差込部６及び凸部８は導電性材料からなり、特に亜鉛、アルミといった金属材料からなる。
【００２１】
カバー４は円錐状に形成されており、カバー４の下側が開口している。カバー４の頭頂部には、支持金具４５（第２の端子）が設けられ、この支持金具４５に棒状のアンテナエレメント４６が装着される。支持金具４５がカバー４の頭頂部を上下に貫通し、支持金具４５とカバー４が一体になっている。
【００２２】
ベース３はカバー４の下部開口に嵌め込まれ、その開口がベース３によって閉塞されている。カバー４の内壁であって下部開口近傍には段付部４１が形成されている。段付部４１はカバー４の下部開口に沿ってリング状に形成されている。ガスケット２は、この段付部４１とベース３の上面縁部との間に挟まれている。ガスケット２によって止水性・気密性が保たれている。
【００２３】
また、ベース３の上面には、２つの台座３１が凸状に設けられ、ベース３の下面から台座３１の上面にかけて通し孔３２が貫通している。カバー４の内壁には後述する組み立て方法によって２つの雌ねじ４２が形成されている。雌ねじ４２が通し孔３２に対応する位置にあり、雄ねじ９がベース３の下から通し孔３２に通され、雌ねじ４２に螺合している。雄ねじ９が締め付けられることによってカバー４がベース３の上面に引きつけられ、ガスケット２が圧縮されている。
【００２４】
ベース３がカバー４によって覆われた状態においては、円錐状のカバー４の中心線がベース３の上面に対して斜めになっており、雄ねじ９の軸心がカバー４の中心線に対してほぼ平行になっている。
【００２５】
台座３１の周囲にシール２１が設けられ、通し孔３２がシール２１によって囲まれている。このシール２１はゴム製であって、ガスケット２に一体成形されている。シール２１もガスケット２と同様にベース３の一部とカバー４の一部との間に挟まれ、これにより通し孔３２の周囲の止水性・気密性が保たれている。
【００２６】
ベース３の上面前側には、左右一対のリブ６２が凸状に設けられ、ベース３の上面後ろ側には、左右一対のリブ６６が凸状に設けられている。回路基板５の下端の前部が一対のリブ６２に挟まれ、回路基板５の下端の後部が一対のリブ６６に挟まれ、これにより回路基板５がベース３の上面に立てられている。回路基板５の下端の前部が弾性片２２を介してカバー４の内面の押圧部４３によってベース３側に押しつけられ、回路基板５の下端の後部が弾性片２３を介してカバー４の内面の押圧部４４によってベース３側に押しつけられている。これにより、回路基板５が支持されている。押圧部４３，４４の押しつけは、雄ねじ９の締結によりなされている。もう一方の回路基板５も同様にしてベース３の上に立てられ、二枚の回路基板５が互いに平行に設けられている。なお、弾性片２２，２３はガスケット２に一体形成されている。
【００２７】
回路基板５には、分波回路及び増幅回路等が組み込まれている。二枚の回路基板５のうち一方がＡＭ／ＦＭ用の基板であり、他方がＧＳＭ用の基板である。これら回路基板５によって処理可能な電波の方式・規格は、ＡＭ／ＦＭ、ＧＳＭに限らず、他のものであってもよい。
【００２８】
２つの回路基板５の上端部には接続端子１０（第１の端子）がそれぞれ取り付けられている。接続端子１０は、支持金具４５（第２の端子）に当接し、アンテナエレメント４６と回路基板５を電気的に接続するためのものである。
図４（ａ）〜（ｄ）はそれぞれ接続端子１０を示した図であり、図４（ａ）は側面図、図４（ｂ）は下面図、図４（ｃ）は側面図、図４（ｄ）は正面図である。以下、接続端子１０について説明する。
接続端子１０は導電性材料からなる板金状の部材である。接続端子１０は、係止部１１、挟持片１２（第１の挟持片）、挟持片１３（第２の挟持片）及び板ばね部１４を有し、これらは一体に形成されている。
【００２９】
係止部１１の左右両端に挟持片１２，１３がそれぞれ連接されている。係止部１１が挟持片１２の上端で挟持片１２に対してほぼ垂直に折られ、挟持片１３が係止部１１の右端で係止部１１に対してほぼ垂直に折られている。挟持片１２と挟持片１３が対向し、これらがほぼ平行に設けられている。挟持片１２と挟持片１３の間隔は回路基板５の厚さにほぼ等しく、係止部１１の左右長が回路基板５の厚さに対応するものとなっている。
【００３０】
挟持片１２の中央部には貫通孔１６が設けられている。貫通孔１６は挟持片１２の一方の面から他方の面に貫通する円形の孔である。なお、貫通孔１６は円形でなくその他の形状であってもよいし、設けられていなくてもよい。
【００３１】
挟持片１３の両面のうち挟持片１２側の面には、一対の突起１５が凸設されている。図示例では、挟持片１３の外側の面から内側の面へプレス成形等することにより２つの突起１５を形成しているが、これに限らず突起部材を溶接等により挟持片１３の内側の面に取り付けたものであってもよい。
【００３２】
挟持片１３の下端に板ばね部１４が連接されている。板ばね部１４が挟持片１３の下端から上へ折り返され、挟持片１３と板ばね部１４の成す内角は鋭角になっている。板ばね部１４の上端部が挟持片１３の上端及び係止部１１よりも高くなるよう、板ばね部１４が折り返されている。
【００３３】
板ばね部１４の突端部１７が弓なり状に湾曲し、その突端部１７が下方に折り返されている。板ばね部１４の突端部１７が二股に分岐している。なお、板ばね部１４の突端部１７は分岐していなくてもよいし、更に三ツ股以上に分岐していてもよい。また、分岐するのは板ばね部１４の突端部１７に限るものではなく、板ばね部１４の全体が分岐していてもよいし、更に板ばね部１４とともに挟持片１３が分岐していてもよい。
【００３４】
接続端子１０の回路基板５への取り付けは、係止部１１及び挟持片１２，１３によってなされる。即ち、図２に示すように、回路基板５の上端部が挟持片１２と挟持片１３の間に差し込まれている。接続端子１０が回路基板５に取り付けられた状態では、係止部１１が回路基板５の上端面５１に当接し、その係止部１１が回路基板５の一方の面５２から他方の面５３にかけて延設されている。挟持片１２が回路基板５の一方の面５２に沿ってその面５２の上縁から下に垂下し、挟持片１３が回路基板５の他方の面５３に沿ってその面５３の上縁から下に垂下し、回路基板５の上端部が挟持片１２，１３間に挟まれている。接続端子１０が回路基板５に取り付けられた状態では、板ばね部１４の上端が回路基板５の上端面５１よりも高い位置にある。
【００３５】
挟持片１３に突起１５が凸設されているから、挟持片１２，１３が互いに開くように接続端子１０が弾性変形し、その弾性力によって接続端子１０をより強く回路基板５に固定することができる。なお、回路基板５の他方の面５３に凹部又は孔部が形成され、突起１５が凹部又は孔部に入り込むものとしてもよい。突起１５が凹部又は孔部に入り込む構成とすることにより、接続端子１０が回路基板５の面５３上に位置決めされ、接続端子１０をよりズレにくく、また外れにくくすることができる。
【００３６】
挟持片１２ははんだ等によって回路基板５の一方の面５２にはんだ付けされている。はんだの一部は貫通孔１６内に埋められている。
【００３７】
図５は、接続端子１０の概略側断面図であり、カバー４の取り付けによる変形前及びその変形後の形状を示している。図５では、変形前の接続端子１０を一点鎖線、変形後の接続端子１０を実線で示す。図２、図５等に示すように、支持金具４５の下端面が板ばね部１４の突端部１７に当接し、板ばね部１４が支持金具４５によって下に押し込まれている。そのため、板ばね部１４が弾性変形し、板ばね部１４と挟持片１３の成す内角が自然状態よりも広がっている。その弾性力によって板ばね部１４と支持金具４５の接触力が向上している。
【００３８】
板ばね部１４が下に押し込まれた状態であるから、挟持片１３の上端部を支点にしたモーメントが挟持片１３に作用し、挟持片１３が回路基板５に押しつけられている。そのため、接続端子１０が回路基板５から外れにくくなっている。また、板ばね部１４が下に強く押し込まれても、挟持片１３が回路基板５に支えられることによって、挟持片１２が回路基板５の一方の面５２から離れる方向のモーメントが殆ど作用しない。それゆえ、挟持片１２が回路基板５にはんだ付けされることによって電気的接触をとっているから、その電気的接触不良が発生しにくい。
【００３９】
図１に示すように、一方の回路基板５に取り付けられている接続端子１０については、板ばね部１４が他方の回路基板５側になり、他方の回路基板５に取り付けられている接続端子１０についても、板ばね部１４が一方の回路基板５側になっている。ここで、これら接続端子１０の位置は前後にずれており、これら接続端子１０の板ばね部１４は互い違いに配置されているため、これら板ばね部１４同士が接触することはない。そのため、回路基板５同士を近づけることができ、ベース３及びカバー４の左右幅を狭められて、アンテナ装置１の小型化を図ることができる。なお、二つの接続端子１０は、カバー４が取り付けられた際には支持金具４５が２つの接続端子１０の両方と接触できるように配置されている。
【００４０】
どちらの回路基板５についても、板ばね部１４の上端が回路基板５の上端面５１よりも高い位置にあるから、支持金具４５の下端面が回路基板５の上端面よりも下に位置しなくても、支持金具４５が板ばね部１４に接触する。そうすると、２枚の回路基板５の間隔を支持金具４５の幅よりも狭くすることができるので、２枚の回路基板５同士を近づけることができ、ベース３及びカバー４の左右幅を狭められて、アンテナ装置１の小型化を図ることができる。
【００４１】
このアンテナ装置１の製造方法及び回路基板５とアンテナエレメント４６の電気的接続方法について説明する。
【００４２】
まず、回路基板５の上端部を接続端子１０の挟持片１２，１３間に差し込み、係止部１１を回路基板５の上端面５１に当接させる。次に、貫通孔１６内ではんだを溶融し、はんだによって挟持片１２と回路基板５の一方の面５２をはんだ付けするする。
【００４３】
一方、回路基板５の下端前部をリブ６２とリブ６２の間に挿入し、回路基板５の下端後部をリブ６６とリブ６６の間に挿入し、回路基板５の下端前部及びリブ６２を弾性片２２により覆い、回路基板５の下端後部及びリブ６６を弾性片２３により覆う。これにより、回路基板５をベース３の上面に立てた状態で支持する。
【００４４】
次に、ベース３の凸部８をガスケット２に嵌め、ガスケット２を凸部８の周囲でベース３の上面に載せる。この時、ガスケット２の周方向の位置を調整し、弾性片２２をリブ６２の上に載せると共に、弾性片２３をリブ６６の上に載せ、台座３１の周囲にシール２１を配置する。弾性片２２，２３がガスケット２に一体となっているから、ガスケット２を組み付ける際に弾性片２２，２３の位置も決まる。そのため、組立性が向上する。
【００４５】
次に、回路基板５の上からカバー４を覆い被せ、ベース３をカバー４の開口に嵌め込む。これにより、ガスケット２をカバー４の内側の段付部４１とベース３との間に挟み、回路基板５の下端前部及び弾性片２２をリブ６２と押圧部４３の間に挟み、回路基板５の下端後部及び弾性片２３をリブ６６と押圧部４４の間に挟む。また、このとき支持金具４５が接続端子１０の板ばね部１４の突端部１７に当接する。支持金具４５の下端面が接続端子１０の係止部１１に対して傾斜している場合には、二股に分岐した突端部１７のうち一方が接する。
【００４６】
次に、雄ねじ９をベース３の下から通し孔３２に通し、雄ねじ９を雌ねじ４２に締め付ける。雄ねじ９は、例えばタッピングネジを使用し、通し孔３２に螺合することで通し孔３２の内面に雌ねじ４２が形成され、締め付けされる。こうすることで、カバー４をベース３の上面に引きつけ、弾性片２２，２３、シール２１及びガスケット２を圧縮させる。同時に、板ばね部１４が支持金具４５によって徐々に下方に押圧され、板ばね部１４と挟持片１３の成す内角が開く。なお、支持金具４５の下端面が接続端子１０の係止部１１に対して傾斜している場合には、二股に分岐した突端部１７のうち支持金具４５に接しているものが変形し、ついには支持金具４５が両方の突端部１７に接する。
【００４７】
その後、支持金具４５にアンテナエレメント４６を取り付けると、回路基板５とアンテナエレメント４６が接続端子１０及び支持金具４５を介して電気的に接続され、アンテナ装置１が完成する。
【００４８】
以上のように、本実施形態によれば、雄ねじ９の締め付けによって挟持片１３と板ばね部１４の成す内角が広がることによって、挟持片１３と係止部１１との連接部分を支点として挟持片１３の下部が回路基板５へ向う方向のモーメントが挟持片１３に作用する。従って、回路基板５が挟持片１２と挟持片１３とによって強く挟み込まれることとなる。これにより回路基板５に対し接続端子１０が強く固定される（図５、変形後）。特に、支持金具４５がより下方に押し付けられるにつれて、挟持片１２と挟持片１３の挟み込みは強くなり、接続端子１０は強く固定されることとなる。従って、設計誤差により雄ねじ９の締め付けが強くなって、支持金具４５が不意に下方に押し付けられても、接続端子１０が回路基板５から外れることがない。
また、支持金具４５は板ばね部１４をその内角を広げる方向に押圧しており、板ばね部１４にはこの動きに対抗して元の角度に戻ろうとする力が働くため、支持金具４５と突端部１７が強く当接し、電気的接続がより確実なものとなる。
また、接続端子１０は回路基板５に対し上方から覆い被さるようして取り付けられ、かつ、支持金具４５の接続端子１０への接触も上方からのものであるため、接続端子１０がはずれにくい。
【００４９】
なお、本発明は上記実施の形態に限定されることなく、本発明の趣旨を逸脱しない範囲において、種々の改良並びに設計の変更を行っても良い。
例えば、挟持片１３と板ばね部１４の成す内角は鈍角であってもよく、板ばね部１４の先端は回路基板５の上端面よりも低い位置にあってもよい。その場合には、支持金具４５はその下端面が回路基板５の上端面５１よりも低い位置で板ばね部１４と接触する。
また、本実施形態では回路基板５は二枚設けられているが、一枚であってもよいし、更に多くの数が設けられていてもよい。
また、本実施形態では挟持片１２の面５２への固定はろう接によりなされているが、接着剤等による接着その他の固定方法であってもよい。
また、本発明に係る電気的接続構造は、アンテナ装置以外にも、回路基板をケース内に収容した構成の電気装置にも適用することができる。
【図面の簡単な説明】
【００５０】
【図１】本発明の実施形態におけるアンテナ装置であって、カバーをはずした状態のものを斜め上から示した図面である。
【図２】同実施形態におけるアンテナ装置を正面から見て示した縦断面図である。
【図３】同実施形態におけるアンテナ装置を横から見て示した縦断面図である。
【図４】同実施形態におけるアンテナ装置に備わる接続端子の両側面図、下面図、正面図である。
【図５】同実施形態におけるアンテナ装置に備わる接続端子の挙動を説明するための図面である。
【符号の説明】
【００５１】
１  アンテナ装置
３  ベース
４  カバー
５  回路基板
１０  接続端子
１１  係止部
１２  挟持片
１３  挟持片
１４  板ばね部
１７  突端部
４５  支持金具
４６  アンテナエレメント
５１  上端面
５２  面
５３  面
【図１】
2010140789.tif 000003
【図２】
2010140789.tif 000004
【図３】
2010140789.tif 000005
【図４】
2010140789.tif 000006
【図５】
2010140789.tif 000007